【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
制御情報送信に対してクラスタ化方式または分散型方式のうちのどちらが構成されるのかという表示を送信するステップと、
第2の時間リソース中の第2の周波数帯域幅を介した第1のデータ送信をスケジュールする第1の制御情報を、第1の時間リソース中に第1の周波数帯域幅を介して送信するステップであって、前記第1の時間リソースが、前記表示に少なくとも部分的に基づいて選択される、ステップと、
第4の時間リソース中の第4の周波数帯域幅を介した第2のデータ送信をスケジュールする第2の制御情報を、第3の時間リソース中に第3の周波数帯域幅を介して送信するステップであって、前記第3の時間リソースが、前記表示に少なくとも部分的に基づいて選択される、ステップと、
前記第1のデータ送信を前記第2の時間リソース中に送信するステップと、
前記第2のデータ送信を前記第4の時間リソース中に送信するステップと
を備える方法。
【請求項２】
前記表示が、制御情報送信に対して前記クラスタ化方式が構成されることを示し、前記第1の制御情報および前記第2の制御情報が、制御情報送信クラスタの中で送信される、請求項1に記載の方法。
【請求項３】
前記第1の制御情報が第1のビーム方向で送信され、前記第2の制御情報が第2のビーム方向で送信される、請求項2に記載の方法。
【請求項４】
同期信号送信に対応するビームパターンと前記制御情報送信クラスタの制御情報ビームパターンとの間のマッピングパターンを送信するステップ
をさらに備える、請求項3に記載の方法。
【請求項５】
前記制御情報送信クラスタに対する監視パターンを示すステップ
をさらに備える、請求項2に記載の方法。
【請求項６】
前記第2の時間リソースおよび前記第4の時間リソースが、前記第1の時間リソースおよび前記第3の時間リソースの後に出現する、請求項2に記載の方法。
【請求項７】
前記第2の時間リソースが前記第1の時間リソースの後に出現し、前記第3の時間リソースが前記第2の時間リソースの前に出現し、前記第4の時間リソースが前記第2の時間リソースの後に出現する、請求項2に記載の方法。
【請求項８】
前記表示が、制御情報送信に対して前記分散型方式が構成されることを示す、請求項1に記載の方法。
【請求項９】
前記表示がマスタ情報ブロック(MIB)の中で送信される、請求項1に記載の方法。
【請求項１０】
前記第1の周波数帯域幅が前記第2の周波数帯域幅よりも狭く、前記第3の周波数帯域幅が前記第4の周波数帯域幅よりも狭い、請求項1に記載の方法。
【請求項１１】
前記第1の周波数帯域幅が前記第2の周波数帯域幅と同じサイズであり、前記第3の周波数帯域幅が前記第4の周波数帯域幅と同じサイズである、請求項1に記載の方法。
【請求項１２】
前記第1の周波数帯域幅が周波数において前記第2の周波数帯域幅とオーバーラップしておらず、前記第3の周波数帯域幅が前記第4の周波数帯域幅とオーバーラップしていない、請求項1に記載の方法。
【請求項１３】
前記第1のデータ送信または前記第2のデータ送信が、システム情報ブロック(SIB)メッセージ、ランダムアクセス応答メッセージ、ページングメッセージ、またはユーザデータブロックを備える、請求項1に記載の方法。
【請求項１４】
ユーザ機器(UE)におけるワイヤレス通信のための方法であって、
制御情報送信に対してクラスタ化方式または分散型方式のうちのどちらが構成されるのかという表示を基地局から受信するステップと、
前記UE用の制御情報に対する制御情報リソースセットを、前記表示に少なくとも部分的に基づいて監視するステップと、
前記監視に少なくとも部分的に基づいて第1の時間リソース中に第1の周波数帯域幅を介して前記UE用の前記制御情報を受信するステップであって、前記制御情報が、前記UEのためのデータ送信を第2の時間リソース中にスケジュールする、ステップと、
前記第2の時間リソース中に第2の周波数帯域幅を介して前記データ送信を受信するステップと
を備える方法。
【請求項１５】
前記表示が、制御情報送信に対して前記クラスタ化方式が構成されることを示し、前記第1の時間リソースが制御情報送信クラスタ中に出現し、前記制御情報送信クラスタが前記第2の時間リソースの前に出現する、請求項14に記載の方法。
【請求項１６】
前記制御情報送信クラスタに対する監視パターンの表示を前記基地局から受信するステップ
をさらに備える、請求項15に記載の方法。
【請求項１７】
前記基地局によって送信される1つまたは複数の同期信号に少なくとも部分的に基づいて、好適な送信ビーム方向を識別するステップをさらに備え、前記制御情報送信クラスタの中での前記制御情報リソースセットのロケーションが、前記好適な送信ビーム方向に対応する、
請求項15に記載の方法。
【請求項１８】
同期信号送信に対応するビームパターンと前記制御情報送信クラスタの制御情報ビームパターンとの間のマッピングパターンを受信するステップと、
前記ビームパターンおよび前記マッピングパターンに少なくとも部分的に基づいて前記第1の時間リソースを識別するステップと
をさらに備える、請求項15に記載の方法。
【請求項１９】
第3の時間リソースが、前記第1の時間リソースの後で、かつ前記制御情報送信クラスタ中に出現する、請求項15に記載の方法。
【請求項２０】
前記表示が、制御情報送信に対して前記分散型方式が構成されることを示す、請求項14に記載の方法。
【請求項２１】
前記表示が、マスタ情報ブロック(MIB)、システム情報ブロック(SIB)、無線リソース制御(RRC)シグナリング、メディアアクセス制御(MAC)制御要素(CE)、またはダウンリンク制御情報(DCI)の中で受信される、請求項14に記載の方法。
【請求項２２】
前記第1の周波数帯域幅が前記第2の周波数帯域幅よりも狭い、請求項14に記載の方法。
【請求項２３】
前記第1の周波数帯域幅が前記第2の周波数帯域幅と同じサイズである、請求項14に記載の方法。
【請求項２４】
前記第1の周波数帯域幅が周波数において前記第2の周波数帯域幅とオーバーラップする、請求項14に記載の方法。
【請求項２５】
前記データ送信が、システム情報ブロック(SIB)メッセージ、ランダムアクセス応答メッセージ、ページングメッセージ、またはユーザデータブロックを備える、請求項14に記載の方法。
【請求項２６】
基地局におけるワイヤレス通信のための装置であって、
プロセッサと、前記プロセッサと電子通信するメモリと、前記メモリに記録された命令とを備え、
前記命令は、前記装置に、
制御情報送信に対してクラスタ化方式または分散型方式のうちのどちらが構成されるのかという表示を送信することと、
第2の時間リソース中の第2の周波数帯域幅を介した第1のデータ送信をスケジュールする第1の制御情報を、第1の時間リソース中に第1の周波数帯域幅を介して送信することあって、前記第1の時間リソースが、前記表示に少なくとも部分的に基づいて選択される、送信することと、
第4の時間リソース中の第4の周波数帯域幅を介した第2のデータ送信を送信されるスケジュールする第2の制御情報を、第3の時間リソース中に第3の周波数帯域幅を介して送信することであって、前記第3の時間リソースが、前記表示に少なくとも部分的に基づいて選択される、送信することと、
前記第1のデータ送信を前記第2の時間リソース中に送信することと、
前記第2のデータ送信を前記第4の時間リソース中に送信することと
を行わせるように前記プロセッサによって実行可能である、装置。
【請求項２７】
前記表示が、制御情報送信に対して前記クラスタ化方式が構成されることを示し、前記第1の制御情報および前記第2の制御情報が、制御情報送信クラスタの中で送信される、請求項26に記載の装置。
【請求項２８】
前記第1の制御情報が第1のビーム方向で送信され、前記第2の制御情報が第2のビーム方向で送信される、請求項27に記載の装置。
【請求項２９】
前記命令が、前記装置に、
同期信号送信に対応するビームパターンと前記制御情報送信クラスタの制御情報ビームパターンとの間のマッピングパターンを送信すること
をさらに行わせるように前記プロセッサによって実行可能である、請求項28に記載の装置。
【請求項３０】
前記命令が、前記装置に、
前記制御情報送信クラスタに対する監視パターンを示すこと
をさらに行わせるように前記プロセッサによって実行可能である、請求項27に記載の装置。
【請求項３１】
前記第2の時間リソースが前記第1の時間リソースの後に出現し、前記第3の時間リソースが前記第2の時間リソースの前に出現し、前記第4の時間リソースが前記第2の時間リソースの後に出現する、請求項27に記載の装置。
【請求項３２】
前記表示が、制御情報送信に対して前記分散型方式が構成されることを示す、請求項26に記載の装置。
【請求項３３】
前記表示がマスタ情報ブロック(MIB)の中で送信される、請求項26に記載の装置。
【請求項３４】
前記第1のデータ送信または前記第2のデータ送信が、システム情報ブロック(SIB)メッセージ、ランダムアクセス応答メッセージ、ページングメッセージ、またはユーザデータブロックを備える、請求項26に記載の装置。
【請求項３５】
前記第1の周波数帯域幅が前記第2の周波数帯域幅よりも狭く、前記第3の周波数帯域幅が前記第4の周波数帯域幅よりも狭いか、または、
前記第1の周波数帯域幅が前記第2の周波数帯域幅と同じサイズであり、前記第3の周波数帯域幅が前記第4の周波数帯域幅と同じサイズであるか、または、
前記第1の周波数帯域幅が周波数において前記第2の周波数帯域幅とオーバーラップしておらず、前記第3の周波数帯域幅が前記第4の周波数帯域幅とオーバーラップしていない、請求項26に記載の装置。
【請求項３６】
ユーザ機器(UE)におけるワイヤレス通信のための装置であって、
プロセッサと、前記プロセッサと電子通信するメモリと、前記メモリに記録された命令とを備え、
前記命令は、前記装置に、
制御情報送信に対してクラスタ化方式または分散型方式のうちのどちらが構成されるのかという表示を基地局から受信することと、
前記UE用の制御情報に対する制御情報リソースセットを、前記表示に少なくとも部分的に基づいて監視することと、
前記監視に少なくとも部分的に基づいて第1の時間リソース中に第1の周波数帯域幅を介して前記UE用の前記制御情報を受信することであって、前記制御情報が、前記UEのためのデータ送信を第2の時間リソース中にスケジュールする、受信することと、
前記第2の時間リソース中に第2の周波数帯域幅を介して前記データ送信を受信することと
を行わせるように前記プロセッサによって実行可能である、装置。
【請求項３７】
前記表示が、制御情報送信に対して前記クラスタ化方式が構成されることを示し、前記第1の時間リソースが制御情報送信クラスタ中に出現し、前記制御情報送信クラスタが前記第2の時間リソースの前に出現する、請求項36に記載の装置。
【請求項３８】
前記命令が、前記装置に、
前記制御情報送信クラスタに対する監視パターンの表示を前記基地局から受信すること
をさら行わせるように前記プロセッサによって実行可能である、請求項37に記載の装置。
【請求項３９】
前記命令が、前記装置に、
前記基地局によって送信される1つまたは複数の同期信号に少なくとも部分的に基づいて、好適な送信ビーム方向を識別することであって、前記制御情報送信クラスタの中での前記制御情報リソースセットのロケーションが、前記好適な送信ビーム方向に対応する、識別すること
をさらに行わせるように前記プロセッサによって実行可能である請求項37に記載の装置。
【請求項４０】
前記命令が、前記装置に、
同期信号送信に対応するビームパターンと前記制御情報送信クラスタの制御情報ビームパターンとの間のマッピングパターンを受信することと、
前記ビームパターンおよび前記マッピングパターンに少なくとも部分的に基づいて前記第1の時間リソースを識別することと
をさら行わせるように前記プロセッサによって実行可能である、請求項37に記載の装置。
【請求項４１】
前記表示が、制御情報送信に対して前記分散型方式が構成されることを示す、請求項36に記載の装置。
【請求項４２】
前記表示が、マスタ情報ブロック(MIB)、システム情報ブロック(SIB)、無線リソース制御(RRC)シグナリング、メディアアクセス制御(MAC)制御要素(CE)、またはダウンリンク制御情報(DCI)の中で受信されるか、または、
前記データ送信が、システム情報ブロック(SIB)メッセージ、ランダムアクセス応答メッセージ、ページングメッセージ、またはユーザデータブロックを含む、請求項36に記載の装置。
【請求項４３】
前記第1の周波数帯域幅が前記第2の周波数帯域幅よりも狭いか、または前記第1の周波数帯域幅が前記第2の周波数帯域幅と同じサイズであるか、または前記第1の周波数帯域幅が周波数において前記第2の周波数帯域幅とオーバーラップする、請求項36に記載の装置。